(57)【特許請求の範囲】
【請求項１】
被検体にＸ線を照射し、被検体の画像データを順次被検体ごとに取得するためのＸ線透視撮影システムであって、
撮影を行っている被検体の撮影進行状況を示す指標情報を把握する進行状況把握手段と、前記進行状況把握手段から前記指標情報を入手し、その指標情報が規定値に達したか否かを判定する判定手段と、前記判定手段の判定により、前記指標情報が規定値に達したとき、次の被検体に対する所定の準備指示を報知する準備報知手段と、を有し、
前記進行状況把握手段は、撮影された画像データを、被検体と関連付けて保存する画像ファイル手段にて、撮影されている被検体の撮影終了枚数を指標情報として検出し、前記判定手段は、予め被検体一人当りに設定された撮影枚数のうち、前記撮影終了枚数が規定枚数に達したか否かを判定することを特徴とするＸ線透視撮影システム。
【請求項２】
前記判定手段における規定枚数は複数設定でき、前記準備報知手段は各規定枚数に応じて異なる準備指示を報知させるよう構成されていることを特徴とする請求項１に記載のＸ線透視撮影システム。
【請求項３】
被検体にＸ線を照射し、被検体の画像データを順次被検体ごとに取得するためのＸ線透視撮影システムであって、
撮影を行っている被検体の撮影進行状況を示す指標情報を把握する進行状況把握手段と、前記進行状況把握手段から前記指標情報を入手し、その指標情報が規定値に達したか否かを判定する判定手段と、前記判定手段の判定により、前記指標情報が規定値に達したとき、次の被検体に対する所定の準備指示を報知する準備報知手段と、を有し、
前記進行状況把握手段は、撮影された画像データを、被検体と関連付けて保存する画像ファイル手段にて、撮影されている被検体の１枚目の画像データを取得してからの経過時間を指標情報として検出し、前記判定手段は、前記１枚目の画像データの取得してからの経過時間が規定時間に達したか否かを判定することを特徴とするＸ線透視撮影システム。
【発明の詳細な説明】
【技術分野】
【０００１】
本発明は、Ｘ線透視撮影システムに関するものである。特に、集団検診などで多数の被検体を順次透視・撮影（以下単に撮影という）する際に、現在撮影されている被検体の撮影進行状況から、次の被検体に対して所定の準備指示を行うことができるＸ線透視撮影システムに関する。
【背景技術】
【０００２】
Ｘ線透視撮影台が集団検診などで広く利用されている。この撮影台として特許文献１に記載の撮影台が知られている。この撮影台は、被検体の載せられる天板と、天板の一方向から被検体にＸ線を照射するＸ線発生部と、天板の他方に位置して被検体を透過したＸ線を画像データに変換出力するＸ線検出部とを備える。天板は起倒動が可能であり、Ｘ線発生部とＸ線検出部も互いに対向状態を保持して、被検体に対するＸ線の照射方向を変えることができる。
【０００３】
ところで、集団検診などでは、多数の被検体に対して撮影を次々と行うため、撮影の効率化が求められる。この効率化を図るため、ある被検体の撮影中に、次の被検体に対しては、所定の準備動作を行うよう、介添え者が指示することが多い。
【０００４】
例えば、被検体一人の当たりの撮影枚数が８枚とされている場合、現在撮影中の被検体に対する撮影が所定枚数まで終了したときに検査技師が介添え者に合図を出し、その合図に応じて、介添え者は次の被検体に準備指示を出す。準備指示の具体例としては、次のものが挙げられる。
【０００５】
(1)１枚目の撮影が終了したときに、次の被検体に検査着への着替えを指示する。
(2)５枚目の撮影が終了したときに、次の被検体に発泡剤を飲むように指示する。
(3)８枚目の撮影が終了したときに、次の被検体に撮影室に入るように指示する。
【０００６】
その他、Ｘ線ロールフィルムで撮影を行っている場合、そのフィルムの巻取り回数をカウントするカウンタによって撮影枚数を知ることができる。そのため、このカウンタの表示から現在の撮影の終了時を予測し、次の被検体に対して準備動作を指示する場合もある。
【０００７】
【特許文献１】特開2000-37381号公報(図１)
【発明の開示】
【発明が解決しようとする課題】
【０００８】
しかし、従来のＸ線透視撮影台を用いた撮影では、検査技師がＸ線透視撮影台の操作に集中するあまり、検査技師から介添え者又は次の被検体への合図が正確に伝わらない虞れがあった。
【０００９】
さらに、ロールフィルムのカウンタを用いる手法は、現在主流のフィルムレスのデジタル透視台では用いることができない。
【００１０】
本発明は、上記の事情に鑑みてなされたもので、その目的は、現在撮影されている被検体の撮影進行状況から、自動的に次の被検体に対して所定の準備指示を行うことができるＸ線透視撮影システムを提供することにある。
【課題を解決するための手段】
【００１１】
本発明のＸ線透視撮影システムは、被検体にＸ線を照射し、被検体の画像データを順次被検体ごとに取得するためのＸ線透視撮影システムである。このシステムは、現在撮影を行っている被検体の撮影進行状況を示す指標情報を把握する進行状況把握手段と、次の被検体に対して前記指標情報に基づく所定の準備指示を報知する準備報知手段とを備えることを特徴とする。
【００１２】
この構成によれば、進行状況把握手段により、現在撮影中の被検体における撮影進行状況を把握することができる。そして、その撮影進行状況に応じて、準備報知手段により、次の被検体に対する所定の準備指示を自動的に報知することができる。そのため、検査技師は介添え者に合図を出す必要はなく、撮影台の操作に集中できる。一方、介添え者または次の被検体は現在撮影中の被検体の進行状況をほぼリアルタイムに把握することができ、的確に準備動作を行うことができる。
【００１３】
ここで、指標情報とは、現在撮影中の被検体の撮影枚数や撮影経過時間など、進行状況を示す指標のことである。この指標情報に基づく所定の準備指示とは、指標情報に関連付けられた準備動作のための具体的な指示である場合はもちろん、指標情報自体が準備指示としての機能を有する場合も含む。さらに、「次の被検体に対して準備指示を報知する」とは、被検体に直接準備指示を報知する場合はもちろん、被検体に検査の進行を案内する介添え者に対して準備指示を報知する場合も含む。
【００１４】
本発明システムの一形態として、さらに進行状況把握手段から、前記指標情報を入手し、その指標情報が規定値に達したか否かを判定する判定手段を備えることが挙げられる。その場合、判定手段の判定により、指標情報が規定値に達したとき、前記準備報知手段が、次の被検体に対する所定の準備指示を報知する。
【００１５】
この構成によれば、現在撮影中の被検体の撮影進行状況に応じて、必用な時に適切な準備指示を次の被検体に対して出すことができる。そのため、単に指標情報自体を準備指示として表示する場合に比べて、より直接的に次の被検体が必要とする準備動作を報知することができる。
【００１６】
判定手段を有する本発明システムの一形態として、進行状況把握手段は、撮影された画像データを、被検体と関連付けて保存する画像ファイル手段にて、現在撮影されている被検体の撮影終了枚数を指標情報として検出することが挙げられる。その場合、判定手段は、予め被検体一人当りに設定された撮影枚数のうち、前記撮影終了枚数が規定枚数に達したか否かを判定する。
【００１７】
通常、集団検診などでは、被検体一人当たりの撮影枚数は７枚や８枚などと決まっている。そのため、現在撮影されている被検体の撮影終了枚数を指標情報とすれば、高い確度で、その被検体の撮影進行状況を把握することができる。そして、その撮影終了枚数が規定枚数に達したか否かを判定することで、次の被検体に対して適切な準備指示を出すことができる。
【００１８】
現在撮影されている被検体の撮影終了枚数を指標情報とする場合、判定手段における規定枚数は複数設定でき、準備報知手段は各規定枚数に応じて異なる準備指示を報知させるよう構成されていることが好ましい。規定枚数の設定は、例えば、第一規定枚数、第二規定枚数…などと設定する。
【００１９】
この構成によれば、現在撮影中の被検体の撮影進行段階に応じて、各々適切な準備指示を報知することができ、多数の被検体に対して効率的に撮影作業を行うことができる。
【００２０】
その他、本発明システムの一形態として、進行状況把握手段は、撮影された画像データを、被検体と関連付けて保存する画像ファイル手段にて、現在撮影されている被検体の１枚目の画像データの取得時間を指標情報として検出することも挙げられる。その場合、判定手段は、前記１枚目の画像データの取得時間から規定時間経過したか否かを判定する。
【００２１】
上述したように、集団検診の場合、一般に被検体一人に対しての撮影枚数は決まっており、検査手技も一定パターンに基づいて繰り返し行われる。その際、現在撮影されている被検体の１枚目の画像データの取得時間を指標情報と把握すれば、その後の撮影枚数に応じた経過時間は、ある程度経験的に把握することができる。そのため、判定手段により、１枚目の画像データの取得時間から規定時間経過したか否かを判定すれば、準備報知手段により準備指示を出すべき時期を的確に把握することができる。
【００２２】
本発明システムの一形態として、判定手段における規定値を、ユーザが変更可能に構成することが挙げられる。
【００２３】
被検体一人当たりの撮影枚数や撮影手技は、検査施設によって種々異なる。そのため、判定手段における規定値をユーザが変更できれば、各検査施設での撮影進行状況に応じて、適切な時期に準備指示を出すことができる。
【００２４】
本発明システムの一形態として、準備報知手段は、準備指示の内容をユーザが変更可能に構成されていることが挙げられる。
【００２５】
次の被検体が行う準備動作は、検査施設によって異なる。例えば、検診バス内で撮影を行う場合、準備動作として検査着への着替えがあったりするが、ビル内の検診施設で行う人間ドックなどでは、Ｘ線撮影の他、血液検査、視力検査など複数種の検査を被検体が巡回して行うため、予め着替えが行われている場合が多い。そのため、準備指示の内容をユーザが変更できれば、検査施設に応じた適切な準備指示を出すことができる。
【００２６】
本発明システムの一形態として、準備報知手段が、準備指示を視覚的に表示する表示手段であることが挙げられる。
【００２７】
ディスプレイなどに文字・図形などで準備指示を表示したり、ランプの点灯・点滅などを行うことで、介添え者または次の被検体に対して視覚的にわかりやすい準備指示を行うことができる。
【００２８】
本発明システムの一形態として、準備報知手段が、準備指示を音声で示す発声手段であることが挙げられる。
【００２９】
音声により準備指示内容を流したり、ブザーを鳴動させることで、介添え者または次の被検体に対して聴覚的にわかりやすい準備指示を行うことができる。
【発明の効果】
【００３０】
本発明のＸ線透視撮影システムは、現在撮影されている被検体の撮影進行状況から、自動的に次の被検体に対して所定の準備指示を行うことができる。
【発明を実施するための最良の形態】
【００３１】
［Ｘ線透視撮影システムの構成］
本発明Ｘ線透視撮影システムの一例を図１に示す。このシステムは、Ｘ線による透視と撮影が可能であり、透視撮影台1と操作卓2とを有する。
【００３２】
透視撮影台1は、被検体Pを載せる天板10、被検体PにＸ線を照射するＸ線発生部20、および、被検体Pを透過したＸ線を検出するＸ線検出部30を備える。
【００３３】
天板10は、図示しない架台に支持されている。架台は、天板10を起倒、昇降することができ、検査・手技に合わせて天板10の傾きや高さを調整することができる。また、天板10は、その長手方向及び幅方向にスライドすることも可能である。これらの動作は、操作卓2からの指令により、位置制御部40を介して制御される。
【００３４】
Ｘ線発生部20は、図示しない支柱に支持されており、図示しない高電圧装置から所定の電圧が印加されることでＸ線を発生するＸ線管21と、Ｘ線の照射野を調整するＸ線可動絞り22とを有する。Ｘ線発生部20は、上下動、左右動、前後動が可能で、位置制御部40の制御により、被検体Pに対する位置を可変することができる。Ｘ線の照射条件は、操作卓2を介して設定され、その設定条件に応じた管電圧や管電流をＸ線管21に対して供給するよう、Ｘ線制御部45により制御される。また、Ｘ線可動絞り22の開閉も位置制御部40からの天板10、Ｘ線発生部20、Ｘ線検出部30の位置情報に応じて絞り制御部50により制御される。
【００３５】
Ｘ線検出部30は、天板10を支持する架台に収納されており、被検体Pを透過したＸ線の強度分布を画像データに変換する。ここでは、Ｘ線検出部30としてFPD（Flat  panel  detector）を用いているが、その他に、I.I.（X-ray  image  intensifier）とCCDカメラを組み合わせたものを用いることができる。Ｘ線検出部30も、Ｘ線発生部20に対向した状態で天板10に対して上下動、左右動が可能であり、位置制御部40からの信号により駆動される。
【００３６】
このＸ線検出部30で検出された画像データは、画像ファイル手段60に記憶される。この画像ファイル手段60では、Ｘ線検出部30で検出された画像データを図示しないA/D変換部でデジタルデータに変換し、画像処理部で公知の画像処理が行って、その処理後のデータを記憶している。その際、各画像データは、現在撮影中の被検体PのIDおよび撮影進行状況を示す指標情報と共に、その被検体Pと関連付けて記憶されている。被検体PのIDは、事前に操作卓2から検査技師が入力しておいたり、このシステムを院内サーバにアクセスさせて、検査対象となる被検体PのIDを取得しておけばよい。
【００３７】
そして、後述する実施例２−１、実施例２−２や実施例３では、規定値・準備指示テーブル65および判定手段70も用いる。このテーブル65は、操作卓2からの入力により規定値および準備指示内容を記憶する。規定値は、準備指示を表示させるため、変化する指標情報の閾値となる値である。例えば、現在撮影中の被検体の撮影枚数が指標情報の場合、「５枚目」など、特定の枚数が規定値となる。準備指示内容は、指標情報が規定値に達したときに報知すべき具体的指示内容、例えば「検査着に着替えてください」などのメッセージである。その他、実施例２−１の場合、テーブルには、被検体一人当たりの総撮影枚数も設定される。これら規定値、準備指示内容、総撮影枚数は、ユーザの利用状況に応じて、適切な値あるいは内容を任意に設定することができる。
【００３８】
一方、操作卓2は、準備報知手段75、モニタ85と入力装置とを備える。準備報知手段75は、準備指示内容を介添え者や被検体に報知するもので、例えば、ディスプレイやスピーカが挙げられる。また、モニタ85には、撮影中の画像が表示される。具体的には、表示制御手段70の制御により、画像ファイル手段60から所定の画像データを読み出し、図示しないD/A変換部でアナログデータに変換してから、モニタ80に表示させる。これらの画像データは、透視では動画として、撮影では静止画として表示される。入力装置としては、スイッチ、キーボード、マウス、ジョイスティック、タッチパネルなどの各種デバイスが挙げられる。入力装置から操作コマンドが入力されると、その信号に応じて、各部の位置制御や撮影条件制御が実行される。
【００３９】
（実施例１）
以上の本発明システムにおいて、現在撮影中の被検体のIDと撮影終了枚数を準備報知手段で報知する実施例を図２に基づいて説明する。このシステムでは、図１の規定値・準備指示テーブル65と判定手段70は用いていない。また、準備報知手段75は、ディスプレイ75Aを備え、そのディスプレイ75Aに前記IDと撮影枚数を文字で表示する。
【００４０】
本実施例において、現在撮影中の被検体Pは撮影室に、検査技師は操作室に、次の被検体は待合室におり、その待合室に準備報知手段75（ディスプレイ75A）が設置されているものとする。ここでは被検体一人当たりの総撮影枚数Nは８枚である（これらの点は、他の実施例でも同様）。また、画像ファイル手段は、現在撮影中の被検体PのIDと撮影枚数nを認識している。
【００４１】
このシステムにおいて、現在撮影中の被検体PのIDと撮影終了枚数をディスプレイ75Aに表示すれば、その表示内容を見た介添え者は、現在撮影中の撮影進行状況が把握できるため、次の被検体に何時どのような準備指示を与えればよいかが的確にわかる。もちろん、次の被検体自身が準備報知手段75の表示内容を見て必要な準備動作を開始しても良い。また、検査技師は、透視撮影台の操作に集中することができ、介添え者に合図を出す必要もない。さらに、このシステムにおいて、操作卓と準備報知手段との間は、汎用のネットワークを利用して接続することができ、特別なインターフェイスを必要としない。
【００４２】
この実施例では、現在撮影中の被検体の撮影枚数を表示したが、通常、被検体一人当たりの総撮影枚数は決まっているため、現在撮影中の被検体の検査が終了するまでに必要な残りの撮影枚数を表示しても良い。この撮影残数は、（総撮影枚数）−（撮影終了枚数）を演算することで容易に求められる。
【００４３】
（実施例２−１）
次に、準備報知手段に、次の被検体が行うべき具体的な指示内容を文字表示させる実施例を図３および図４に基づいて説明する。
【００４４】
このシステムでは、図１における規定値・準備指示テーブル65と判定手段70を用いる。本例では、被検体一人当たりの総撮影枚数Nが８枚のため、規定値Snは、８枚以下の適宜な値を事前に設定する。ここでは、１枚目（S1）、５枚目（S2）、８枚目（S3）の各々を第一、第二、第三規定値とした。そして、第一規定値S1に対しては、「検査着に着替えてください」というメッセージM1を、第二規定値S2に対しては、「発泡剤を飲んでください」というメッセージM2を、第三規定値S3に対しては、「検査室にお入りください」というメッセージM3を準備指示として対応させている（図３参照）。各メッセージMnは、次の被検体のIDと組み合わせて報知される。
【００４５】
このシステムでも、実施例１と同様に、現在撮影中の被検体の撮影終了枚数を画像ファイル手段で管理しており、まず。この撮影終了枚数を判定手段に取り込む。（図４のステップS1）、次に、その終了枚数が規定値・準備指示テーブルで設定した規定値に合致するか否かを判定する（図４のステップS2）。撮影終了枚数が規定値に合致しなければ、再度撮影終了枚数を取得するステップに戻る。一方、撮影終了枚数が規定値に合致すれば、規定枚数に応じた準備指示を規定値・準備指示テーブルから読み出す（図４のステップS3）。次に、この読み出された準備指示を準備報知手段のディスプレイに表示させる（図４のステップS4）。本例の場合、現在の被検体の1枚目の撮影が終了した時点で、次の被検体に対して「検査着に着替えてください」とのメッセージを表示する。また、5枚目の撮影が終了した時点で、次の被検体に対して発泡剤をお飲みください」とのメッセージを表示する。さらに、8枚目の撮影が終了した時点で、次の被検体に対して「検査室にお入りください」とのメッセージを表示する。そして、現在の撮影中の被検体の撮影終了枚数が8枚（総撮影枚数）に達していなければ、再度撮影終了枚数を取得するステップS1に戻り、撮影終了枚数が8枚に達したら、現在撮影中の被検体と次の被検体との関係における準備指示に必要な１サイクルの処理を終了し、以下順次同様のサイクルを繰り返す（図４のステップS5）。
【００４６】
本例のシステムによれば、準備報知手段に、次の被検体がとるべき準備指示を直接表示するため、介添え者はリアルタイムで現在撮影中の被検体の撮影進行状況が把握できると共に、次の被検体に対して的確な準備指示を出すことができる。
【００４７】
なお、本例の変形例として、撮影中に失敗撮影があって撮り直しを行った場合でも対応できるシステム構成が挙げられる。
【００４８】
例えば、現在撮影中の被検体に対し、3枚目で所定の関心領域を撮影できなかったなどの失敗撮影があった場合、その失敗撮影の画像データを画像ファイル手段に保存せず、撮影枚数としてもカウントしないようにすることが挙げられる。通常、失敗撮影か否かは、その場で判断できるため、3枚目の撮影が失敗撮影であった場合には、操作卓に設けた「Delete」ボタンを押す。このボタン操作により、失敗撮影の画像データを画像ファイル手段に保存せず、撮影枚数としてもカウントしないようにすればよい。そして、次の撮り直しにより適切な画像データが得られれば、その適切な画像データを3枚目の画像データとして画像ファイル手段に保存し、3枚目の撮影枚数としてカウントを行えばよい。このように、失敗撮影があった場合には、その画像データを適正な画像データとしてカウントしないようにすることで、撮影終了枚数に対応した適切な準備指示を出すことができる。
【００４９】
もっとも、一旦失敗画像データであると判断したものの、その画像データを後に復活して利用する場合に対応するには、「Delete」ボタンとは別に「Cancel」ボタンを操作卓に設けることが好ましい。この「Cancel」ボタンを押すと、一旦失敗画像と判断した画像データであっても画像ファイル手段に暫定的に保存しておくが、撮影枚数としてのカウントは行わないようにする。そして、例えば、3枚目の失敗撮影に続く撮り直しの画像データを3枚目としてカウントすると共に3枚目の画像データとして保存しておき、暫定保存した画像データを再利用しない限り、撮り直しの画像データを3枚目の画像データとして、その撮影終了枚数を準備指示の指標とすればよい。
【００５０】
（実施例２−２）
次に、現在撮影中の被検体の１枚目の画像データ取得時間を指標情報とする実施例を図５に基づいて説明する。
【００５１】
本例のシステムの機能は、基本的に実施例２−１と同様であり、被検体一人当たりの総撮影枚数Nを８枚とし、図３と同様の各メッセージを準備報知手段のディスプレイに表示する。但し、メッセージの表示は、現在撮影中の被検体に対する撮影枚数自体を基準として行うのではなく、１枚目、５枚目、８枚目に相当する時刻を基準として行う。そのため、画像ファイル手段は、現在撮影中の被検体の１枚目の画像データ取得時間（撮影時間Ts）を指標情報として、その被検体のIDと対応付けて管理している。
【００５２】
本例では、図５に示すように、まず、現在撮影中の被検体の１枚目の画像データの取得時間Tsを検出する（図５のステップS11）。集団検診などの場合、検査施設によって被検体一人当たりの撮影枚数・手技が決まっている。例えば、被検体一人当たり８枚撮影する場合、8枚全ての撮影時間Steが約4分30秒であるとする。その場合、経験的に5枚目の画像データ取得時間（例えば3分）もわかっている。そのため、予め規定値として、5枚目の撮影終了時間および8枚目の終了時間を規定時間St1、St2として設定しておき、1枚目の画像データ取得時間からの経過時間を求め、判定手段により、この経過時間が規定時間に達したか否かを判定する（図５のステップS12）。1枚目の画像データ取得時間からの経過時間が規定時間St1、St2に達すれば、規定値・準備指示テーブルから所定の準備指示を読み出す（図５のステップS13）。1枚目の画像データ取得時間からの経過時間が規定時間に達しなければ、経過時間が規定時間St1、St2に達しか否かの判定を繰り返す。続いて、読み出された準備指示Mnを準備報知手段に表示する（図５のステップS14）。次に、１枚目の画像データの取得時間Tsから4分30秒（8枚全ての撮影時間Ste）経過したか否かをさらに判定する（図５のステップS15）。同時間が経過すれば現在撮影中の被検体と次の被検体との関係における準備指示に必要な１サイクルの処理を終了し、経過していなければ再度、1枚目の画像データ取得時間からの経過時間が規定時間と一致するか否かを判定する。
【００５３】
本例によっても、現在撮影中の被検体の撮影経過時間に基づいて、次の被検体に必要な準備指示を的確に与えることができる。
【００５４】
なお、ある被検体の撮影中に失敗撮影があり、その撮り直しを行う場合、操作卓の「Cancel」ボタンまたは「Delate」ボタンを押すことで、計時を中断するようにしておけばよい。この「Cancel」ボタンまたは「Delate」ボタンを押すと、1枚目の画像データ取得時間からの計時を中断する。そして、再撮影を行うと、中断していた時間から計時を再開する。そのため、撮影の途中で何らかの障害が発生しても、実際の撮影進行状況に応じて、次の被検体に対して適切な準備指示を出すことができる。
【００５５】
（実施例３）
さらに、文字表示だけでなく、音声によっても準備指示を報知できる実施例を図６に基づいて説明する。
【００５６】
本例でも実施例２−１と同様に、現在撮影中の被検体Pの撮影終了枚数を指標情報とし、１枚目、５枚目、８枚目の各々で所定の準備指示を報知する。但し、本例では、ディスプレイ75Aへの文字表示の他に、スピーカ75Bでも準備指示を音声報知する。
【００５７】
そのため、介添え者がディスプレイ75Aを見なくても、音声により、準備指示を次の被検体に出すべき時期を的確に知ることができる。
【産業上の利用可能性】
【００５８】
本発明のＸ線透視撮影システムは、集団検診など、複数の被検体に対して一定パターンの撮影を繰り返し行う場合などに好適に利用できる。
【図面の簡単な説明】
【００５９】
【図１】本発明システムの一例の概略機能ブロック図である。
【図２】実施例１に係る本発明システムの利用状態を示す説明図である。
【図３】実施例2-1に係る本発明システムの利用状態を示す説明図である。
【図４】実施例2-1に係る本発明システムの処理手順を示すフローチャートである。
【図５】実施例2-2に係る本発明システムの処理手順を示すフローチャートである。
【図６】実施例3に係る本発明システムの利用状態を示す説明図である。
【符号の説明】
【００６０】
1  透視撮影台
10  天板
20  Ｘ線発生部  21  Ｘ線管  22  Ｘ線可動絞り
30  Ｘ線検出部
40  位置制御部  45  Ｘ線制御部  50  絞り制御部
60  画像ファイル手段  65  規定値・準備指示テーブル
70  判定手段  75  準備報知手段
75A  ディスプレイ  75B  スピーカ
80  表示制御手段  85  モニタ
2  操作卓
P  被検体
【図１】
0005180529.tif 000002
【図２】
0005180529.tif 000003
【図３】
0005180529.tif 000004
【図４】
0005180529.tif 000005
【図５】
0005180529.tif 000006
【図６】
0005180529.tif 000007